(57)【要約】【課題】  書類その他の印刷物から読み取った印刷情報を、所定の保存先に自動的に保存できるようにするとともに、保存先設定を簡素化し、誤設定を防止できるようにする。【解決手段】  読取部５は印刷物３に表示された印刷情報を読取る。検出部９は、印刷情報３に付されたＲＦＩＤチップ３に予め保存された保存先情報を検出する。保存先設定部１５は読み取った印刷情報に対し検出された保存先情報に対応する保存先を設定する。通信制御部１７は読取った印刷情報をその保存先に向けてネットワーク１９を介して通信制御する。【選択図】  図１
2007267318.tif 000002
【特許請求の範囲】
【請求項１】
印刷物に表示された印刷情報を読取る読取部と、
この読取部で読取った前記印刷情報の保存先情報であって当該印刷物に付された前記保存先情報を検出する検出部と、
読み取った前記印刷情報に対し、検出された前記保存先情報に対応する保存先を設定する保存先設定部と、
読取った前記印刷情報を前記保存先設定部で設定された保存先に向けてネットワークを介して通信制御する通信制御部と、
を具備することを特徴とする印刷情報保存装置。
【請求項２】
前記保存先情報は前記印刷物に付されたＲＦＩＤチップに予め保存され、前記検出部は前記ＲＦＩＤチップから前記保存先情報を検出するものである請求項１記載の印刷情報保存装置。
【請求項３】
前記保存先情報は、読み取った前記印刷情報の送信先回線番号である請求項１又は２記載の印刷情報保存装置。
【請求項４】
前記保存先情報は、読み取った前記印刷情報の保存先アドレスである請求項１〜３のいずれか１項記載の印刷情報保存装置。
【請求項５】
印刷物に表示された印刷情報を読取る読取部と、
この読取部で読取った前記印刷情報の保存先情報であって当該印刷物に付された前記保存先情報を検出する検出部と、
読み取った前記印刷情報に対し、検出された前記保存先情報に対応する保存先を設定する保存先設定部と、
読取った前記印刷情報を前記保存先設定部で設定された保存先に向けて通信制御する通信制御部と、
この通信制御部が接続され前記印刷情報を前記保存先に向けて伝送するネットワークと、
このネットワークに接続され前記印刷情報を保存する情報機器と、
を具備することを特徴とする印刷情報保存システム。
【請求項６】
印刷物に表示された印刷情報を読取ってネットワークを介して出力制御する印刷情報保存制御用コンピュータに、
印刷物に表示された印刷情報を読取る読取処理と、
この読取部で読取った前記印刷情報の保存先情報であって当該印刷物に付された前記保存先情報を検出する検出処理と、
読み取った前記印刷情報に対し検出した前記保存先情報に基づき保存先を設定する保存先設定処理と、
読取った前記印刷情報を前記ネットワークを介し前記保存先に向けて通信制御する通信制御処理と、
を実行させる印刷情報保存プログラム。
【発明の詳細な説明】
【技術分野】
【０００１】
本発明は印刷情報保存装置、印刷情報保存システムおよび印刷情報保存プログラムに係り、例えばスキャナー装置等において印刷物から読み取った印刷情報の保存処理を簡素化した印刷情報保存装置、印刷情報保存システムおよび印刷情報保存プログラムに関する。
【背景技術】
【０００２】
近年、スキャナー装置、複写機又はこれらを搭載した複合機では、書類等の印刷物から印刷情報（印刷画像データ）読み取って電子化し、この電子化された印刷情報を内蔵ハードディスクに保存したりネットワーク上に接続されたコンピュータに転送して内蔵ハードディスクに保存する使い方が増えている。例えば、読み取った印刷情報をネットワーク上のコンピュータに転送する手段を備えた構成は、ネットワークスキャナー装置と呼ばれている。
【０００３】
そして、このようなネットワークスキャナー装置では、読み取った印刷情報をネットワーク上のコンピュータに転送する場合、表示パネルを兼ねた入力パネル等から転送先コンピュータのＩＰアドレス、Ｅ−Ｍａｉｌアドレス、ＦＴＰ（File Transfer Protocol）等を設定していた。
【０００４】
さらに、そのようなネットワークスキャナー装置において転送先を指定する構成として、例えば特開２００５−３４８０２７号公報（特許文献１）に示すような複合通信端末装置が提案されている。
【０００５】
これは、ファクシミリ番号情報の保存されたＲＦＩＤタグが付された名刺からそのファクシミリ番号情報を読取り、原稿トレイにセットされて読み取られた送信原稿をそのファクシミリ番号に向けて自動発信するよう構成した複合通信端末装置であり、簡単かつ正確にファクシミリ発信できるようにしたものである。
【特許文献１】特開２００５−３４８０２７号公報
【発明の開示】
【発明が解決しようとする課題】
【０００６】
しかしながら、上述したようなネットワークスキャナー装置では、読み取った印刷情報の保存先を設定するには、操作者が表示パネルを兼ねた入力パネル等から保存先のＩＰアドレス、Ｅ−Ｍａｉｌアドレス、ＦＴＰ等を入力設定していたので、設定作業が繁雑であるうえ誤設定も発生し易い難点がある。
【０００７】
さらに、特許文献１のような複合通信端末装置おいて、送信原稿の保存先を設定するには、ＲＦＩＤタグが付された名刺を用意して装置に読み取らせる作業が必要であり、名刺がないと利用できないし、作業性の観点からも改善の余地がある。
【０００８】
特に、企業等においては、請求書や納品書等の定形的書類を電子化し、これら電子化された書類を例えば集計処理するために特定の保存場所に保存処理する作業が多々有り、それらの作業の円滑化が望まれている。
【０００９】
本発明はそのような課題を解決するためになされたもので、書類その他の印刷物から読み取った印刷情報の保存先を自動的に保存することが可能で、作業性や誤操作の防止が可能な印刷情報保存装置、印刷情報保存システムおよび印刷情報保存プログラムの提供を目的とする。
【課題を解決するための手段】
【００１０】
そのような課題を解決するために本発明に係る印刷情報読取装置は、印刷物に表示された印刷情報を読取る読取部と、この読取部で読取ったその印刷情報の保存先情報であって当該印刷物に付された保存先情報を検出する検出部と、読み取った印刷情報に対し検出された保存先情報に対応する保存先を設定する保存先設定部と、読取った印刷情報をその保存先設定部で設定された保存先に向けてネットワークを介して通信制御する通信制御部とを具備している。
【００１１】
そして、本発明では、上記保存先情報を印刷物に付されたＲＦＩＤチップに予め保存し、上記検出部にてＲＦＩＤチップからその保存先情報を検出するよう構成可能である。
【００１２】
本発明では、読み取った印刷情報の送信先回線番号を上記保存先情報とする構成も可能である。
【００１３】
本発明では、読み取った印刷情報の保存先アドレスを上記保存先情報とする構成も可能である。
【００１４】
さらに、本発明に係る印刷情報保存システムでは、印刷物に表示された印刷情報を読取る読取部と、この読取部で読取った印刷情報の保存先情報であって当該印刷物に付されたその保存先情報を検出する検出部と、読み取った印刷情報に対し、検出された保存先情報に対応する保存先を設定する保存先設定部と、読取った印刷情報をその保存先設定部で設定された保存先に向けて通信制御する通信制御部と、この通信制御部が接続されその印刷情報を保存先に向けて伝送するネットワークと、このネットワークに接続されその印刷情報を保存する情報機器とを具備している。
【００１５】
さらにまた、本発明に係る印刷情報保存プログラムでは、印刷物に表示された印刷情報を読取ってネットワークを介して出力制御する印刷情報保存制御用コンピュータにおいて、印刷物に表示された印刷情報を読取る読取処理と、この読取部で読取った印刷情報の保存先情報であって当該印刷物に付されたその保存先情報を検出する検出処理と、読み取った印刷情報に対し検出したその保存先情報に基づき保存先を設定する保存先設定処理と、読取った印刷情報をネットワークを介しその保存先に向けて通信制御する通信制御処理とを実行するものである。
【発明の効果】
【００１６】
このような本発明に係る印刷情報保存装置および印刷情報保存プログラムでは、印刷物に表示された印刷情報を読取部で読取り、読取った印刷情報の保存先情報であって当該印刷物に付された保存先情報を検出部で検出し、読み取った印刷情報に対し検出されたその保存先情報に対応する保存先を保存先設定部で設定し、読取った印刷情報をその保存先に向けてネットワークを介して通信制御部で通信制御するから、ネットワーク上の保存先に対し、書類その他の印刷物から読み取った印刷情報の保存先を自動設定して保存することが可能となり、操作者の操作が簡素化されて作業性が向上するとともに、保存先の誤設定を防止可能となる。
【００１７】
そして、その検出部にてＲＦＩＤチップから保存先情報を検出する構成では、外部から目視による保存先情報の判読が困難であるから、セキュリティ上有用であるうえ、種々の保存先に対応可能である。
【００１８】
また、読み取った印刷情報の送信先回線番号を上記保存先情報とした構成では、印刷情報を所定の回線番号に例えばファクシミリ送信して保存可能となる。
【００１９】
さらに、読み取った印刷情報の保存先アドレスを上記保存先情報とした構成では、印刷情報を所定の保存先アドレスに自動的に保存可能となる。
【００２０】
そして、本発明に係る印刷情報保存システムでは、上述した印刷情報保存装置に加えて、上記通信制御部に接続されその印刷情報を上記保存先に向けて伝送するネットワークと、このネットワークに接続されその印刷情報を保存する情報機器とを具備するから、ネットワークに接続された情報機器に対して上述した効果が得られる。
【発明を実施するための最良の形態】
【００２１】
以下、本発明に係る実施の形態を図面を参照して説明する。
【００２２】
図１および図２は本発明に係る印刷情報保存装置を含む印刷情報保存システムを示すブロック図および概略構成図であり、便宜上、印刷情報保存装置を搭載したスキャナー装置１とともに示すものである。
【００２３】
図１および図２において、スキャナー装置１は、書類等の印刷物３に表示された印刷情報を読み取る読取部５、印刷物３に付された後述するＲＦＩＤチップ７に保存された保存先情報を検出する検出部９、印刷物３を自動給紙する自動給紙部１１（図１では単に給紙部と略す。）および印刷物３を外部へ排出する排紙部１３を有するとともに、後述する構成を有している。
【００２４】
読取部５は、自動給紙部１１から印刷物３が読取り動作領域（図示省略）に搬送されるとともに排紙部１３から吐き出される過程で、読取部５において印刷物３に対してスキャンさせた光を結像させて電子データに変換して読取り、例えばビットマップ形式その他の形式データにして保存先設定部１５に出力するものである。
【００２５】
検出部９は、読取部５の近傍において印刷物３の読取り搬送路に向けて配置されたセンサであり、後述するように、微弱電磁波を印刷物３の読取り搬送路に向けて発射するとともに、印刷物３に付されたＲＦＩＤチップ７からの電磁波を受信し、ＲＦＩＤチップ７に予め保存された保存先情報その他を電磁的に読取り、保存先設定部１５に出力するものである。
【００２６】
なお、検出部９は、印刷物の読取り搬送路において読取部５より上流側に配置されており、読取部５は検出部９の検出後に読取り動作をするようになっている。
【００２７】
ＲＦＩＤチップ７は、図２に示すように、例えば印刷物３に埋め込むよう又は表面に止着された極小さい１mm角程度の半導体チップであり、予め次のような情報が読み書き可能に保存されている。
【００２８】
すなわち、図３に示すように、個々のＲＦＩＤチップ７自体を識別するための番号や符号の組合せである（１）ＲＦＩＤチップの固有ＩＤ、ＲＦＩＤチップ７の（２）発行者名、発行者の属する国を示す（３）国情報、ＲＦＩＤチップ７を付す（４）文書（印刷物）名称、発行者管理用の（５）発行連続番号、ＲＦＩＤチップ７が付された印刷物３に表示された印刷情報の読取り後の保存先を示す（６）保存先情報（保存処理情報）、その他を３２ビット又は６４ビット程度の電子データとして格納したマイクロチップである。なお、保存先情報は複数格納可能である。
【００２９】
印刷情報の保存先情報としては、印刷情報をファクシミリ送信する相手先の送信先回線番号（ファクシミリ電話番号）の他、印刷情報の保存場所である後述するファクシミリ装置２１、コンピュータ２３、複写機２５等の情報機器のＩＰアドレスやこのフォルダ名、更に、一般的なＥ−Ｍａｉｌアドレス等の保存先アドレスである。
【００３０】
ＲＦＩＤチップ３は、例えば検出部９から伝搬させた微弱電磁波を電源として動作して内部の保存データを外部へ伝搬させるが、従来公知のものであるからその詳細な説明は省略する。
【００３１】
図１において、通信制御部１７は、有線又は無線ネットワーク１９を介して外部の例えばファクシミリ装置２１、コンピュータ２３、複写機２５等に接続されるとともに保存先設定部１５に接続されており、保存先設定部１５の制御の下で、そららのファクシミリ装置２１、コンピュータ２３、複写機２５等との間で後述するファクシミリ送信やデータ送信する機能を有している。
【００３２】
保存先設定部１５は、検出部９で検出された保存先情報の意味を解読し、読取部５で読み取った印刷情報に対し、その保存先情報に対応した保存先を設定して印刷情報を出力する出力先設定部であり、通信制御部１７および印刷部２７その他に接続されている。
【００３３】
すなわち、保存先設定部１５は、保存先情報が送信先回線番号であれば、保存先として送信先回線番号を設定するとともに、通信制御部１７にてネットワーク１９を介し送信先回線番号に向けて印刷情報をファクシミリ装置２１に送信制御する機能を有している。
【００３４】
保存先設定部１５は、保存先情報がＩＰアドレスやこのフォルダ名であれば、これらを保存先として設定し、印刷情報をネットワーク１９を介してＩＰアドレスに該当するコンピュータ２３や複写機２５に向けて通信制御部１７からデータ送信制御する機能を有している。なお、出力先情報がＥ−Ｍａｉｌアドレスであれば、これに向けて通信制御部１７からネットワーク１９を介してアドレス先にデータ送信するようになっている。
【００３５】
保存先設定部１５におけるそれら保存先は、ＲＦＩＤチップ３に保存された保存先情報に対応して、入力部２９から予め設定されている。
【００３６】
ファクシミリ装置２１、コンピュータ２３、複写機２５等の情報機器には印刷情報の格納される格納部があるが便宜上図示を省略した。
【００３７】
上述した印刷部２７は、印刷情報を印刷するモノクロ又はカラー印刷エンジンであるが、本発明の要部ではないので説明は省略する。
【００３８】
図１において、それら通信制御部１７、保存先設定部１５および記憶部９は、スキャナー装置１から抜き出して図示されているが、一般には内蔵されるものであるし、スキャナー装置１は印刷物３を自動給紙して搬送されるタイプに限定されない。
【００３９】
なお、保存先設定部１５を中心とする通信制御部１７、入力部２９等は、例えば図示しない種々の演算判断機能を有するＣＰＵ、このＣＰＵの動作プログラムを保存したＲＯＭおよび入出力インターフェースを有する印刷制御用のマイクロコンピュータで構成されており、スキャナー装置１に搭載した従来機能を担うマイクロコンピュータにて兼用構成可能である。
【００４０】
次に、上述した本発明に係る印刷情報読取装置の動作を簡単に説明する。
【００４１】
自動給紙部１１から搬送された印刷物３から印刷情報が読取部５にて読取られるとともに、検出部９にてＲＦＩＤチップ３から保存先情報が検出されると、もし保存先情報が送信先回線番号の指定であった場合、保存先設定部１５がその保存先情報を解読し、読み取った印刷情報に送信先回線番号を設定して通信制御部１７に出力するとともに、通信制御部１７からネットワーク１９を介して印刷情報をファクシミリ装置２１に送信制御する。
【００４２】
一方、保存先情報がＩＰアドレスやフォルダ名であれば、保存先設定部１５が、印刷情報をそれらＩＰアドレスに該当するコンピュータ２３や複写機２５に向けて通信制御部１７から送信制御する。Ｅ−Ｍａｉｌアドレスについても同様である。
【００４３】
このような本発明に係る印刷情報保存装置では、印刷物３に表示された印刷情報を読取る読取部５と、その印刷情報３に付されたＲＦＩＤチップ３に保存された保存先情報を検出する検出部９と、その読み取った印刷情報に対し検出された保存先情報に対応する保存先を設定する保存先設定部１５と、読取った印刷情報をその保存先に向けてネットワーク１９を介して通信制御する通信制御部１７とを具備するから、その印刷情報３に付されたＲＦＩＤチップ３に対し、予め印刷情報の保存先情報を保存しておけば、印刷物３から印刷情報を読み取る際に保存先情報も取得し、印刷情報の保存先としてネットワーク１９上に接続されたファクシミリ装置２１、コンピュータ２３又は複写機２５を自動的に設定し、それらに保存可能となる。
【００４４】
そのため、印刷物３から読取った印刷情報の保存先設定操作が簡素化され、作業性が向上するとともに、印刷情報を出力する保存先の誤設定を防止できる。
【００４５】
そして、ＲＦＩＤチップ３の保存先情報が、例えば送信先回線番号、ＩＰアドレスやこのフォルダ名（ファイル名）、又はＥ−Ｍａｉｌアドレスであれば、これらを保存先として設定し、印刷情報をファクシミリ送信したり、ＩＰアドレスに該当する情報機器２３、２５やこのフォルダに保存したり、Ｅ−Ｍａｉｌアドレス先に保存できる。
【００４６】
なお、保存先情報としてのＩＰアドレスやこのフォルダ名、Ｅ−Ｍａｉｌアドレスは、何れも広い意味で保存先アドレスと考えることが可能である。
【００４７】
上述した実施の形態では、保存先情報をＲＦＩＤチップ７に予め格納して印刷物３に付す構成を説明したが、本発明ではこれに限らず、印刷物３に印刷可能なバーコード、図柄、模様等によってもその機能を果たすことが可能であり、それらの解読が可能なように出力設定部１５を形成すれば良い。
【００４８】
もっとも、ＲＦＩＤチップ７に保存先情報を予め格納して印刷物３に付す構成では、保存先情報が視覚的に隠されるから、外部から目視による保存先情報の判読が困難となり、セキュリティ上有用であるし、種々の保存先情報の格納や検出が可能で、利用範囲が拡大される。
【００４９】
そして、本発明に係る印刷情報保存システムでは、上述し印刷情報保存装置（スキャナー装置１）の構成に加えて、通信制御部１７に接続されその印刷情報を種々の保存先に向けて伝送するネットワーク１９と、このネットワーク１９に接続されたその印刷情報を保存する保存部（図示せず。）を有するファクシミリ装置２１、コンピュータ２３又は複写機２５等の情報機器とを具備するから、上述し印刷情報保存装置の効果に加えて、ネットワーク１９上に接続されたファクシミリ装置２１、コンピュータ２３又は複写機２５に印刷情報を自動的に保存することが可能となる。
【００５０】
なお、本発明に係る印刷情報読取装置は、スキャナー装置１以外に複写機、複合機その他に搭載可能である。
【００５１】
ところで、本発明に係る印刷情報保存プログラムにつき言及すれば、上述した読取部５、検出部９、保存先設定部１５、通信制御部１７等の機能を有し、印刷物３に表示された印刷情報を読取って出力制御する印刷情報読取制御用コンピュータにおいて、印刷物３に表示された印刷情報を読取る読取処理と、読み取った印刷情報に対し検出したその保存先情報に基づき保存先を設定する保存先設定処理と、読取った印刷情報をネットワーク１９を介しその保存先に向けて通信制御する通信制御処理とを実行するものである。
【図面の簡単な説明】
【００５２】
【図１】本発明に係る印刷情報保存装置および印刷情報保存システムの実施の一形態をスキャナー装置とともに示すブロック図である。
【図２】スキャナー装置の概略を示す図である。
【図３】ＲＦＩＤチップ内の情報例を概略的に示す図である。
【符号の説明】
【００５３】
１  スキャナー装置（印刷情報保存装置）
３  印刷物
５  読取部
９  検出部
１１  自動給紙部
１３  排紙部
１５  保存先設定部
１７  通信制御部
１９  ネットワーク
２１  情報機器（ファクシミリ装置）
２３  情報機器（コンピュータ）
２５  情報機器（複写機）
２７  印刷部
２９  入力部
【図１】
2007267318.tif 000003
【図２】
2007267318.tif 000004
【図３】
2007267318.tif 000005